【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
皮膚と接触するように置かれた後、皮膚と電気的接触を保ちながら皮膚上を横断して移動するように構成される複数の電極と、
皮膚上を横断して移動する際に２またはそれ以上の前記複数の電極間に同時に電流が流れるようにする電源とを備え、被検者の体の皮膚を処置する装置。
【請求項２】
電源が、皮膚の表皮角質層下の皮膚層が実質的に除去されないように電流を流すよう構成される請求項１記載の装置。
【請求項３】
電源が、皮膚の表皮角質層を除去するために電流を流すように構成される請求項１記載の装置。
【請求項４】
電源が、電流が流れる皮膚の領域を区分するために、物質を皮膚に塗布するように構成されるマーキング・ユニットを備える請求項１記載の装置。
【請求項５】
電流が流れる皮膚の領域を区分するために皮膚を押圧するように構成される１あるいはそれ以上の突起要素を備える請求項１記載の装置。
【請求項６】
少なくとも１つの電極は、皮膚と接触して約１０〜１００μｍの特徴的な長さを有する接触領域を作るように構成される請求項１記載の装置。
【請求項７】
少なくとも１つの電極は、双極式電極を備える請求項１記載の装置。
【請求項８】
前記２またはそれ以上の電極が、一つの戻り電極と２またはそれ以上の電流駆動電極を備え、電源が、各電流駆動電極と戻り電極との間にぞれぞれ電流を流すように構成される請求項１記載の装置。
【請求項９】
電源は、物質が皮膚を通過できるように電流を流すよう構成される請求項１〜８の何れか１つに記載の装置。
【請求項１０】
電源は、物質が被検者の皮膚を通過して体内へ入れるように電流を流すよう構成される請求項９記載の装置。
【請求項１１】
電源は、物質が被検者の体内から皮膚を通過できるように電流を流すよう構成される請求項９記載の装置。
【請求項１２】
電流を流す皮膚の部位に物質を塗布するように構成される物質塗布ユニットを備える請求項１〜８の何れか１つに記載の装置。
【請求項１３】
物質塗布ユニットが、
装置が皮膚を横断して移動するときに回転するように構成される巻き枠と、
塗布される物質を有し、装置が皮膚を横断して移動するときに巻き枠から解かれ、電流が流れる皮膚の領域を覆うように巻き枠の周囲に配置されて構成される物質塗布帯とを備える請求項１２記載の装置。
【請求項１４】
物質塗布帯は、前記帯が皮膚への接触を保つようにする粘着剤を備える請求項１３記載の装置。
【請求項１５】
物質塗布ユニットが、物質の一回分の投与量を収容するように構成されるタンクと、
物質を前記領域に移送するようにタンクに接続される導管とを備える請求項１２記載の装置。
【請求項１６】
導管は、前記物質の所望の流速が得られるように構成される請求項１５記載の装置。
【請求項１７】
物質塗布ユニットは、所望の流速が得られるように物質が皮膚への移送中に通る多孔性材料を備える請求項１５記載の装置。
【請求項１８】
物質塗布ユニットは、タンクに接続され、物質の所望の流速が得られるように構成されたポンプを備える請求項１５記載の装置。
【請求項１９】
皮膚を横断して移動するときに回転するように構成されたローラと、
ローラの表面上に配置され、ローラが皮膚上を横断して移動するときに皮膚と接触するように連なって配置された複数の電極と、
皮膚と接触したときに各電極を通る電流を駆動するように構成された電源とを備え、被検者の体の皮膚を処置する装置。
【請求項２０】
電源が、皮膚の表皮角質層下の皮膚層が実質的に除去されないように電流を流すように構成される請求項１９記載の装置。
【請求項２１】
電源が、皮膚の表皮角質層を除去するように電流を流すように構成される請求項１９記載の装置。
【請求項２２】
電源が、電流が流れる皮膚の領域を区分するために、マーキング物質を皮膚に塗布するように構成されるマーキング・ユニットを備える請求項１９記載の装置。
【請求項２３】
電流が流れる皮膚の領域を区分するために皮膚を押圧するように構成される１あるいはそれ以上の突起要素を備える請求項１９記載の装置。
【請求項２４】
少なくとも１つの電極は、皮膚と接触して約１０〜１００μｍの特徴的な長さを有する接触領域を作るように構成される請求項１９記載の装置。
【請求項２５】
少なくとも１つの電極は、双極式電極を備える請求項１９記載の装置。
【請求項２６】
複数の電極が、一つの戻り電極と２またはそれ以上の電流駆動電極とを備え、電源が、各電流駆動電極と戻り電極との間にぞれぞれ電流を流すように構成される請求項１９記載の装置。
【請求項２７】
電源は、物質が皮膚を通過できるように電流を流すよう構成される請求項１９〜２６の何れか１つに記載の装置。
【請求項２８】
電源は、物質が被検者の皮膚を通過して体内へ入れるように電流を流すよう構成される請求項２７記載の装置。
【請求項２９】
電源は、物質が被検者の体内から皮膚を通過できるように電流を流すよう構成される請求項２７記載の装置。
【請求項３０】
電流を流す皮膚の部位に活性物質を塗布するように構成される物質塗布ユニットを備える請求項１９〜２６の何れか１つに記載の装置。
【請求項３１】
物質塗布ユニットが、
装置が皮膚を横断して移動するときに回転するように構成される巻き枠と、
塗布される物質を有し、巻き枠が皮膚を横断して移動するときに巻き枠から解かれ、電流が流れる皮膚の領域を覆うように巻き枠の周囲に配置されて構成される物質塗布帯とを備える請求項３０記載の装置。
【請求項３２】
物質塗布帯は、前記帯が皮膚への接触を保つようにする粘着剤を備える請求項３１記載の装置。
【請求項３３】
物質塗布ユニットが、
物質の一回分の投与量を収容するように構成されるタンクと、
物質を前記領域に移送するようにタンクに接続される導管とを備える請求項３０記載の装置。
【請求項３４】
導管は、前記物質の所望の流速が得られるように構成される請求項３３記載の装置。
【請求項３５】
物質塗布ユニットは、所望の流速が得られるように物質が皮膚への移送中に通る多孔性材料を備える請求項３３記載の装置。
【請求項３６】
物質塗布ユニットは、タンクに接続され、物質の所望の流速が得られるように構成されたポンプを備える請求項３３記載の装置。
【請求項３７】
ハウジングと、
ハウジングの表面上に皮膚と接触するように配置された複数の電極と、
ハウジングの動きに感応するセンサ信号を発生するように構成されたモーション・センサと、
信号を受信してそれに応答して装置の物理的配置を特定し、その物理的配置の特定に応答して前記複数の電極へ流れる電流を制御するように構成された制御ユニットとを備え、被検者の体の皮膚を処置する装置。
【請求項３８】
制御ユニットは、装置の速度を特定し、それに応答して電極への電流を制御するように構成される請求項３７記載の装置。
【請求項３９】
制御ユニットは、速度が規定の動作範囲を超えた場合に電流を停止させるように構成される請求項３８記載の装置。
【請求項４０】
制御ユニットは、装置が移動した距離を特定し、それに応答して電極への電流を制御するように構成される請求項３７記載の装置。
【請求項４１】
制御ユニットは、装置が規定の距離を移動した後に電流を停止させるように構成される請求項４０記載の装置。
【請求項４２】
制御ユニットは、装置の加速度を特定し、それに応答して電極への電流を制御するように構成される請求項３７記載の装置。
【請求項４３】
制御ユニットは、加速度が規定の動作範囲を超えた場合に電流を停止させるように構成される請求項４２記載の装置。
【請求項４４】
制御ユニットに接続される出力ユニットを備え、制御ユニットは出力ユニットを作動させて被検者に装置の物理的配置を示す出力信号を発生するように構成される請求項３７記載の装置。
【請求項４５】
出力ユニットがスピーカーを備え、制御ユニットは物理的配置に応答してスピーカーを作動させるように構成される請求項４４記載の装置。
【請求項４６】
出力ユニットがディスプレイを備え、制御ユニットは物理的配置に応答してディスプレイを作動させるように構成される請求項４４記載の装置。
【請求項４７】
電源が、電流が流れる皮膚の領域を区分するために、マーキング物質を皮膚に塗布するように構成されるマーキング・ユニットを備える請求項３７記載の装置。
【請求項４８】
電流を流す皮膚の部位に活性物質を塗布するように構成される物質塗布ユニットを備える請求項３７記載の装置。
【請求項４９】
物質塗布ユニットが、
装置が皮膚を横断して移動するときに回転するように構成される巻き枠と、
塗布される物質を有し、巻き枠が皮膚を横断して移動するときに巻き枠から解かれ、電流が流れる皮膚の領域を覆うように巻き枠の周囲に配置されて構成される物質塗布帯とを備える請求項４８記載の装置。
【請求項５０】
物質塗布ユニットが、
物質の一回分の投与量を収容するように構成されるタンクと、
物質を前記領域に移送するようにタンクに接続される導管とを備える請求項４８記載の装置。
【請求項５１】
導管は、前記物質の所望の流速が得られるように構成される請求項５０記載の装置。
【請求項５２】
物質塗布ユニットは、タンクに接続され、物質の所望の流速が得られるように構成されたポンプを備える請求項５０記載の装置。
【請求項５３】
ハウジングと、
ハウジングの表面上に皮膚と接触するように配置され皮膚に電流を流すように構成された複数の電極と、
ハウジングの動きに感応するセンサ信号を発生するように構成されたモーション・センサと、
出力ユニットと、
センサ信号を受信してそれに応答して装置の物理的配置を特定し、出力ユニットを作動させて装置の物理的配置を被検者に示すための出力信号を発生するように構成された制御ユニットとを備え、被検者の体の皮膚を処置する装置。
【請求項５４】
制御ユニットは、装置の速度を特定し、出力ユニットを作動させて装置の速度に応答する出力信号を発生するように構成される請求項５３記載の装置。
【請求項５５】
制御ユニットは、装置の加速度を特定し、出力ユニットを作動させて装置の加速度に応答する出力信号を発生するように構成される請求項５３記載の装置。
【請求項５６】
制御ユニットは、装置が移動した距離を特定し、出力ユニットを作動させて装置が移動した距離に応答する出力信号を発生するように構成される請求項５３記載の装置。
【請求項５７】
出力ユニットがスピーカーを備え、制御ユニットは前記配置に応答してスピーカーを作動させるように構成される請求項５３記載の装置。
【請求項５８】
出力ユニットがディスプレイを備え、制御ユニットは前記配置に応答してディスプレイを作動させるように構成される請求項５３記載の装置。
【請求項５９】
電流を流す皮膚の部位に活性物質を塗布するように構成される物質塗布ユニットを備える請求項５３〜５８の何れか１つに記載の装置。
【請求項６０】
ハウジングと、
ハウジングに連結されハウジングが皮膚を横断して移動するときに回転するように構成される巻き枠と、
塗布される物質を有し、ハウジングが皮膚を横断して移動するときに巻き枠から解かれて皮膚の領域を覆い、医薬物質が皮膚を通って血流に入るように巻き枠の周囲に配置されて構成される物質塗布帯とを備え、被検者の皮膚の領域から医薬物質を被検者の血流に入れる装置。
【請求項６１】
皮膚の領域へ電流を流すように構成される複数の電極を備え、物質塗布帯は、前記皮膚領域に対応する帯の離散的な領域に塗布される物質を有するように構成される請求項６０記載の装置。
【請求項６２】
物質塗布帯は、区画に分割され、各区画は塗布する物質の一回分の投与量を有し、各区画は巻き枠から区画が解かれるにしたがって帯から外れるように配置される請求項６０〜６１のいずれか１つに記載の装置。
【請求項６３】
皮膚との電気的接触を得るように皮膚と接触するように配置される複数の受電電極と、前記受電電極のうちの第２電極と電気的接触を生成するのに先立って、前記受電電極のうちの第１電極と電気的接触を生成するように戻り電極を横断して通過するように構成される駆動電極と、
駆動電極を駆動して駆動電極が第１受電電極と電気的に接触するときに第１受電電極へ第１電流を流し、駆動電極が第２受電電極と電気的に接触するときに第２受電電極へ第２電流を流すように構成される電源とを備える被検者の体の皮膚を処理する装置。
【請求項６４】
皮膚に当てるように構成され、受電電極に付けられたパッチを備える請求項６３記載の装置。
【請求項６５】
少なくとも１つの受電電極は、単極式電極を備える請求項６３記載の装置。
【請求項６６】
電源は、駆動電極を駆動して皮膚の角質層を除去するのに十分な大きさで第１電流を流すように構成される請求項６３記載の装置。
【請求項６７】
電源が、駆動電極を駆動して第１受電電極を通って皮膚の領域に流れる第１電流を流すように構成され、装置が前記領域に皮膚へ物質を塗布するように構成される物質塗布ユニットを備える請求項６３〜６６の何れか１つに記載の装置。
【請求項６８】
電源が、皮膚の表皮角質層と、少なくとも部分的に、表皮角質層下の皮膚層とを除去させるような電流を流すように構成される請求項１〜８の何れか１つに記載の装置。
【請求項６９】
電源が、皮膚の表皮角質層と、少なくとも部分的に、表皮角質層下の皮膚層とを除去させるような電流を駆動するように構成される請求項１９〜２６の何れか１つに記載の装置。
【請求項７０】
電源が、駆動電極を駆動して少なくとも１つの電流が皮膚の表皮角質層と、少なくとも部分的に、表皮角質層下の皮膚層を除去させるのに十分な大きさで電流を流すように構成される請求項６３〜６６の何れか１つに記載の装置。